(57)【要約】【課題】抵抗装置を簡単に着脱できるようにするとともに、抵抗装置を装着する際に、確実に、設計通りに組立できるようにする。【解決手段】精米機本体１の精白室１１上方に配設される抵抗装置調節部１９と、前記抵抗装置調節部に着脱される抵抗装置取り外し部２１と、を備えた精米機において、前記抵抗装置調節部は、押さえ爪４５と抵抗装置取付突起部４７を有する摺動板２５を備えており、該抵抗装置取付突起部は、前記摺動板の先端に設けられ、かつ、水平片部４７ｂと閂溝４９を備えており、前記抵抗装置取り外し部は、上部側に前記抵抗装置取付突起部の水平片部が貫通する貫通溝５７が設けられ、上端に前記押さえ爪に係合される係止片５９が設けられ、下部に精白室の出口に対向する抵抗円板６７が設けられ、その外面側にはラッチ可動部７１が摺動可能に保持されており、前記ラッチ可動部の閂部７１ａは、前記閂溝４９に嵌合可能に形成されている。【選択図】図４
2010274164.tif 000002
【特許請求の範囲】
【請求項１】
精米機本体の精白室上方に配設される抵抗装置調節部と、前記抵抗装置調節部に着脱される抵抗装置取り外し部と、を備えた精米機において、
前記抵抗装置調節部は、係止片係合部と抵抗装置取付突起部を有する摺動板を備えており、
該抵抗装置取付突起部は、前記摺動板の先端に設けられ、かつ、水平支持部材と閂溝を備えており、
前記抵抗装置取り外し部は、上部側に前記水平支持部材が貫通する貫通部が設けられ、上端に前記係止片係合部に係合される係止片が設けられ、下部に精白室の出口に対向する抵抗円板が設けられ、その外面側にはラッチ可動部が摺動可能に保持されており、
前記ラッチ可動部の閂部は、前記閂溝に嵌合可能に形成されていることを特徴とする精米機。
【請求項２】
精米機本体の精白室上方に配設される抵抗装置調節部と、前記抵抗装置調節部に着脱される抵抗装置取り外し部と、前記抵抗装置取り外し部に対向する着脱可能な点検パネルと、を備えた精米機において、
前記抵抗装置調節部は、係止片係合部と抵抗装置取付突起部を有する摺動板を備えており、
該抵抗装置取付突起部は、前記摺動板の先端に設けられ、かつ、水平支持部材と閂溝を備えており、
前記抵抗装置取り外し部は、上部側に前記水平支持部材が貫通する貫通部が設けられ、上端に前記係止片係合部に係合される係止片が設けられ、下部に精白室の出口に対向する抵抗円板が設けられ、その外面側には、外方に突出するラッチを有するラッチ可動部が保持されており、
前記ラッチ可動部の閂部は、前記閂溝に嵌合可能に形成されており、前記点検パネルの内面には、前記ラッチに係合する抵抗装置ストッパと安全スイッチをオンさせる安全装置押突起が設けられていることを特徴とする精米機。
【請求項３】
摺動板の係止片係合部と抵抗装置取り外し部の係止片、摺動板の水平支持部材と抵抗装置取り外し部の貫通部は、それぞれ左右一対配設されていることを特徴とする請求項１、又は、２記載の精米機。
【請求項４】
ラッチ可動部のラッチ及び点検パネルの抵抗装置ストッパは、左右一対配設されていることを特徴とする請求項２記載の精米機。
【請求項５】
抵抗装置ストッパは、第１段目と第２段目の突起により形成されていることを特徴とする請求項２記載の精米機。
【請求項６】
ラッチ可動部は、リベット、又は、ねじにより抵抗装置取り外し部の支持アームに摺動可能に取り付けられていることを特徴とする請求項２記載の精米機。
【請求項７】
係止片係合部は、上向き傾斜部と、該傾斜部に連続する水平部とを備えた押さえ爪であることを特徴とする請求項１、又は、２記載の精米機。
【発明の詳細な説明】
【技術分野】
【０００１】
この発明は、一般家庭等で用いる精米機に関するもので、更に述べると、着脱可能な抵抗装置を備えた精米機に関するものである。
【背景技術】
【０００２】
従来の精米機は、精白室出口側に抵抗装置を配設しているが、この抵抗装置は、精白ロールの回転により前記精米室内を圧送される穀粒（玄米）に抵抗を与え、その精白度を制御している。
【０００３】
前記精米機の前記抵抗装置の抵抗円板、前記精白室の内壁面及びその出口近傍には、精米中に発生する糠が付着するが、これを放置すると、前記抵抗円板の作動不良を起こしたり、虫の発生原因となったりする。そこで、時々、精白室等を清掃（手入れ）し、きれいにする必要がある。
【０００４】
そこで、従来、前記手入れをし易くするため、次のような精米機が用いられている。
（１）精米部の手入れの際に抵抗装置全体を外す精米機。
精米本体内枠と精米本体外枠とを有し、排出板を備えた前記精米本体内枠に金網、抵抗支竿及びカム支竿が保持され、前記精米本体内枠は前記精米本体外枠に摺動自在である精米機（例えば、特許文献1、参照）。
【０００５】
（２）精米部の手入れの際に抵抗装置の抵抗円板と支持アームを回転させる精米機。
抵抗装置と圧力調整手段とを、精白米吐出口から突出して設けた精白米排出樋の両側壁に横架した支軸を中心に回動可能に設けた精米機（例えば、特許文献２、参照）。
【０００６】
（３）精米部の手入れの際に抵抗装置を回転させる精米機。
白米案内樋の上端壁を抵抗板の支持アームの回動ピンより高い位置に設け、前記支持アームが上方に回動された状態では、前記上端壁が支持アームに干渉して白米案内樋のセットができないようにした精米機(例えば、特許文献３、参照)。
【先行技術文献】
【特許文献】
【０００７】
【特許文献１】特開２００２−０４５７１４号  公報
【特許文献２】特開平１１−３００２１９号  公報
【特許文献３】特開２０００−３３４３１８号  公報
【発明の概要】
【発明が解決しようとする課題】
【０００８】
従来例の精米機は次のような問題がある。
（１）特許文献１では、取り外す部分が大型化してしまい、着脱が面倒で、位置合わせ等に時間がかかる。
【０００９】
（２）特許文献２では、抵抗装置の前後長が長くなり、又、回転させるための空間も必要となるので、本機が大型化してしまう。
（３）特許文献３では、抵抗円板の位置精度が出ない上、取り外して清掃(洗浄)することができない。
【００１０】
この発明は、上記事情に鑑み、抵抗装置を簡単に着脱できるようにすることを目的とする。他の目的は、抵抗装置を装着する際に、確実に、設計通りに組立できるようにすることである。
【課題を解決するための手段】
【００１１】
この発明は、精米機本体の精白室上方に配設される抵抗装置調節部と、前記抵抗装置調節部に着脱される抵抗装置取り外し部と、を備えた精米機において、前記抵抗装置調節部は、係止片係合部と抵抗装置取付突起部を有する摺動板を備えており、該抵抗装置取付突起部は、前記摺動板の先端に設けられ、かつ、水平支持部材と閂溝を備えており、前記抵抗装置取り外し部は、上部側に前記水平支持部材が貫通する貫通部が設けられ、上端に前記係止片係合部に係合される係止片が設けられ、下部に精白室の出口に対向する抵抗円板が設けられ、その外面側にはラッチ可動部が摺動可能に保持されており、前記ラッチ可動部の閂部は、前記閂溝に嵌合可能に形成されていることを特徴とする。
【００１２】
この発明は、精米機本体の精白室上方に配設される抵抗装置調節部と、前記抵抗装置調節部に着脱される抵抗装置取り外し部と、前記抵抗装置取り外し部に対向する着脱可能な点検パネルと、を備えた精米機において、前記抵抗装置調節部は、係止片係合部と抵抗装置取付突起部を有する摺動板を備えており、該抵抗装置取付突起部は、前記摺動板の先端に設けられ、かつ、水平支持部材と閂溝を備えており、前記抵抗装置取り外し部は、上部側に前記水平支持部材が貫通する貫通部が設けられ、上端に前記係止片係合部に係合される係止片が設けられ、下部に精白室の出口に対向する抵抗円板が設けられ、その外面側には、外方に突出するラッチを有するラッチ可動部が保持されており、前記ラッチ可動部の閂部は、前記閂溝に嵌合可能に形成されており、前記点検パネルの内面には、前記ラッチに係合する抵抗装置ストッパと安全スイッチをオンさせる安全装置押突起が設けられていることを特徴とする。
【００１３】
この発明の摺動板の係止片係合部と抵抗装置取り外し部の係止片、摺動板の水平支持部材と抵抗装置取り外し部の貫通部、は、それぞれ左右一対配設されていることを特徴とする。この発明のラッチ可動部は、リベット、又は、ねじにより抵抗装置取り外し部の支持アームに摺動可能に取り付けられていることを特徴とする。
【００１４】
この発明のラッチ可動部のラッチ及び点検パネルの抵抗装置ストッパは、左右一対配設されていることを特徴とする。この発明の抵抗装置ストッパは、第１段目と第２段目の突起により形成されていることを特徴とする。
【発明の効果】
【００１５】
この発明は、以上のように構成したので、ラッチ可動部を押し上げて閂部を外すと、抵抗装置取り外し部のロックは解除される。この状態において、該抵抗装置取り外し部を手で掴んで手前側に水平に引くと、水平支持部材に案内されながら移動して抵抗装置取付突起部から外れると共に、係止片も係止片係合部から外れる。そのため、容易に抵抗装置取り外し部を抵抗装置調節部から外し、精白室等の清掃を行うことができる。
【００１６】
又、清掃終了後、前記抵抗装置取り外し部を精米機に取り付ける場合には、抵抗装置取付突起部の水平支持部材に貫通部を挿入しながら押し込み、閂溝に位置させるとともに、係止片を係止片係合部に係合させる。その後、ラッチ可動部を押し下げてラッチ可動部の上端部を前記閂溝に嵌着させ、前記抵抗装置取り外し部をロックする。
【００１７】
前記状態において、点検パネルを抵抗装置取り外し部に向かって挿入すると、その途中で抵抗装置ストッパがラッチに当接し係合しながら設計位置に装着される。そうすると、安全スイッチ押突起が安全スイッチをオンさせるので、駆動用モータの起動が可能となる。
【００１８】
この時、ラッチ可動部が設計位置にないと、ラッチが前記ストッパの干渉を受けるので、点検パネルを閉めて設計位置に戻すことができない。そうすると、安全スイッチ押突起は安全スイッチをオンさせることができないので、駆動用モータのスイッチを投入しても、起動することはできない。この様に、抵抗装置が誤組込みされた場合には、精米機の運転は不可能となる。
【図面の簡単な説明】
【００１９】
【図１】本発明の第１実施形態を示す縦断面図である。
【図２】図１の要部拡大図である。
【図３】精米機カバーの一部を切り欠いた状態を示す斜視図である。
【図４】抵抗装置調節部、抵抗装置取り外し部、点検パネルを示す斜視図である。
【図５】抵抗装置調節部、抵抗装置取り外し部、ラッチ可動部を示す斜視図である。
【図６】抵抗装置が誤装着された状態を示す縦断面図である。
【図７】抵抗装置が正しく装着され、点検パネルが設計通りに装着された状態を示す縦断面図である。
【図８】抵抗装置が誤装着された状態を示す縦断面図である。
【図９】抵抗装置が誤装着された状態を示す平面図である。
【図１０】抵抗装置を精米機に装着して閂をした状態を示す斜視図である。
【図１１】ラッチ可動部を押し上げて閂を外した状態を示す斜視図である。
【発明を実施するための形態】
【００２０】
精米機、例えば、一般家庭用の一回通し式精米機は、精米機本体１と、該精米機本体１に着脱される抵抗装置３と、精米機カバー５とを備えている。
【００２１】
前記精米機本体1には、蓋７の付いた玄米ホッパ９と、該玄米ホッパ９に接続された精白室１１と、該精白室１１に内蔵され、駆動用モータ１３により回転する精白ロール１５と、精白室１１の外壁を成す除糠金網(スクリーン)１７、が設けられている。
【００２２】
抵抗装置３は、精米機本体1の精白室１１上方に配設された抵抗装置調節部１９と、精米機本体1に着脱される抵抗装置取り外し部２１とから構成されている。
前記抵抗装置調節部１９は、精米機本体１の精米外筒にねじ止めされる固定金具２３と、該固定金具２３上に摺動可能に載置された摺動板２５と、前記摺動板２５の摺動範囲を規制するストッパ２７を備えている。
【００２３】
前記固定金具２３の一端には、シャフト２９の一端を支持する第１起立片２３ａが設けられ、又、その他端には前記シャフト２９の他端を支持する第２起立片２３ｂが設けられているが、前記第２起立片２３ｂは、第１起立片２３ａより高く形成されている。前記第２起立片２３ｂには、図５に示すように、従節ロッド３１が挿入される下穴２３ｃと、ダイヤル３３の回転軸が嵌着される上穴２３ｄとが設けられている。前記ダイヤル３３の裏面には立体カム３５が形成されているが、この立体カム３５は、前記従節ロッド３１の頭部に当接している。この従節ロッド３１の後端部は、連結部材３７に連結されているが、この連結部材３７は前記シャフト２９に遊嵌合されている。
【００２４】
図５に示すように、摺動板２５には、第２起立片２３ｂが挿入される長方形状の摺動用穴３９が設けられ、該摺動用穴３９の後方側長辺には、シャフト２９の先端側が遊嵌合される第１保持片４１が立設され、又、該摺動板２５の後端部には、前記シャフト２９の後端側が遊嵌合される第２保持片４３が立設されている。前記第２保持片４３と連結部材３７との間には、コイルばね４４が配設されている。
【００２５】
摺動板２５の摺動用穴３９の両側には、押さえ爪４５が左右一対設けられている。この爪４５は、係止片係合部の一例であり、上向き傾斜部と、該傾斜部に連続する水平部とからなり、摺動板２５の上面から突出している。前記摺動板２５の先端部には、抵抗装置取付突起部４７が設けられている。この突起部４７は、間隔を置いて左右一対設けられた、側面視Ｌ字状の部材であり、垂直片部４７ａと水平片部４７ｂから構成されている。前記水平片部４７ｂは、水平支持部材の一例であるが、この水平片部４７ｂの基端部内側には、閂溝４９が設けられている。前記左右の閂溝４９，４９間の間隔は、Ｗ０であり、前記左右の水平片部４７ｂ、４７ｂの内面間の間隔はＷ１に設計されているが、これらの間隔は、必要に応じて適宜変更される。
【００２６】
抵抗装置取り外し部２１は、板状の支持アーム５３を備えている。この支持アーム５３の水平方向の幅（横幅）は、前記間隔Ｗ０、Ｗ１より小さく形成されているが、その上端部５３ａ側は、左右に突出した突出部５５となっており、その上端部５３ａの水平方向の長さは、前記抵抗装置取付突起部４７の横幅とほぼ同じであり、前記間隔Ｗ０よりも大きく形成されている。前記突出部５５には、前記水平片部４７ｂが挿入される貫通溝５７が設けられているが、この貫通溝５７は貫通部の一例である。
【００２７】
前記支持アーム５３の上端部５３ａ両側には、前記押さえ爪４５に係合する係止片５９が、間隔を置いて左右一対配設されている。前記支持アーム５３の中央部には、リベット取付け穴６１が設けられ、その両側には、長方形状のスリット６３が設けられている。図２に示すように、前記支持アーム５３の内側下端部５３ｂには、取付台６５を介して抵抗円板６７がボルト６９により取り付けられている。
【００２８】
前記支持アーム５３の外表面には、ラッチ可動部７１が摺動可能に設けられている。このラッチ可動部７１の上部７１ａ側は、閂溝４９に嵌めこまれる閂部となっており、その水平方向の長さ（横幅）は中間部７１ｂ及び下部７１ｃの横幅より大きく形成されている。前記上部７１ａの横幅は、前記間隔Ｗ０より小さく、かつ、前記間隔Ｗ１より大きく形成され、前記中間部７１ｂ及び下端部７１ｃの横幅は、前記間隔Ｗ１より小さく形成されている。
【００２９】
このラッチ可動部７１の上部７１ａ両側には、間隔を置いて左右一対のラッチ７３が外向きに突設され、又、その下端部には、摘み７５が設けられている。前記ラッチ可動部７１の中央部７１ｂには、スライダ用スリット７７が縦長に設けられ、このスライダ用スリット７７にリベット７９を挿入し、その先端をリベット取付け穴６１に嵌着することにより、前記抵抗装置取り外し部２１とラッチ可動部７１は、一体となっている。
なお、前記抵抗装置取り外し部２１とラッチ可動部７１の連結手段として、リベットの他に、ねじ等を用いることができる。
【００３０】
抵抗装置取り外し部２１は、点検パネル８１により覆われているが、この点検パネル８１の正面の内側上方には、抵抗装置ストッパ８３、８７が突設され、又、その右側面の内側には、安全スイッチ押突起８５が設けられている。前記ストッパ８３は、第１段目の突起であり、垂直部８３ａと水平部８３ｂと前記両者８３ａ、８３ｂを結ぶ円弧状ガイド部８３ｃとを備え、又、前記ストッパ８７は第２段目の突起であり、その突出量は、前記第１段目の突部より小さく形成されている。前記抵抗装置ストッパは、必ずしも２段に形成する必要は無いが、二段にする場合には、次の点が考慮されている。
【００３１】
即ち、抵抗装置取り外し部２１にラッチ可動部７１が設計通りに装着されているときには、ラッチ７３が前記水平部８３ｂに係合して、点検パネル８１を精米機本体１に装着することが可能となるが、逆に、支持アーム５３の一方の側(例えば、右側)の突出部５５及びラッチ可動部のラッチだけが、閂溝４９に嵌り、他方(例えば、左側)が外れている場合には、ラッチ７３が前記点検パネル８１の抵抗装置ストッパ８３．８７と干渉して該点検パネルを装着することができなくなる様に設計されている。
【００３２】
前記安全スイッチ押突起８５は、点検パネル８１を設計通りに装着した時に、駆動用モータ１３の安全スイッチ、例えば、マイクロスイッチ（図示省略）、をオンにするものであり、点検パネル８１を設計通りに装着しない限り、駆動用モータ１３を駆動できないようにしている。前記安全スイッチ押突起及びマイクロスイッチは、安全装置の一例であるが、この安全装置は、これらに限定されるものではなく、例えば、前記安全スイッチ押突起８５が近接するとオンになる、非接触型のスイッチを用いることもできる。
又、前記点検パネル８１は、摺動させて所定位置に嵌め込むものであるが、該点検パネルの右側又は左側を精米機カバー５にヒンジ結合させ、左右に回転させて開閉させるようにすることもできる。  
【００３３】
次に、本実施形態の作動について説明する。
清掃時の分解：
点検パネル８１を手で掴んで手前に引くと、該点検パネル８１は、精米機本体１から外れ、抵抗装置取り外し部２１が露出する。この時、安全スイッチ押突起８５はマイクロスイッチ（安全スイッチ）から離れるので、前記安全スイッチはオフとなる。
【００３４】
ラッチ可動部７１の摘み７５に手をかけて上方に引き上げると、閂状態が解除される（図１１参照）。そのため、該抵抗装置取り外し部２１を手前に引くと、抵抗装置取付突起部４７の水平片部４７ｂに案内されながら摺動するとともに、係止片５９は押さえ爪４５から外れるので、精白室１１の出口１１ａは開放される。この状態で、精白室１１内及び抵抗円板６７等を清掃して糠等を除去する。
【００３５】
清掃後の組立：
前記清掃が終了したら、抵抗装置取り外し部２１の貫通溝５７に抵抗装置取付突起部４７の水平片部４７ｂを差し込みながら摺動させ、係止片５９を押さえ爪４５に係止させる。
【００３６】
ラッチ可動部７１の摘み７５を掴んで押し下げ、該ラッチ可動部７１の閂部となっている上端部７１ａを閂溝４９に嵌着させる。そうすると、閂がかかるので、抵抗装置取り外し部２１は抵抗装置取付突起部４７から離れることはできず、固定（ロック）される(図１０参照)。
【００３７】
次に、点検パネル８１を精白室１１の出口１１ａに向かって挿入する。抵抗装置取り外し部２１が正しく組み立てられ、前記ラッチ可動部７１のラッチ７３が設計位置にあるときには、前記ラッチ７３は、点検パネル８１の抵抗装置ストッパ８３の水平部８３ｂに係止するので、当該点検パネル８１は、設計位置に戻される。このとき、安全スイッチ押突起８５がマイクロスイッチ（安全スイッチ)をオンにするので、駆動用モータ１３の起動が可能となる(図７参照)。
【００３８】
なお、完全に閂がかかっていないため、前記ラッチ７３の位置が、前記ストッパ８３の水平部８３ｂよりも少し上方に位置し、円弧状ガイド部８３ｃに当接している場合には、点検パネル８１を押し込むことによりラッチ７３は前記ガイド部８３ｃに沿って下降し、水平部８３ｂに係止するようになる。そのため、確実に閂をかけて抵抗装置をロックすることができる。
【００３９】
図６に示すように、ラッチ７３が前記ストッパ８３の垂直部８３ａに当接している場合、即ち、閂がかかっていない状態、では、点検パネル８１を閉めることができないので、抵抗装置が設計通り組み立てられていないことを知ることができる。この場合には、安全スイッチがオンにならないので、駆動用モータ１３のスイッチを入れても起動させることはできない。
【００４０】
図８、図９に示すように、支持アーム５３の上部右側及びラッチ可動部７１の右側ラッチだけが閂溝４９に嵌り、左側のそれらが外れている場合には、二段目の抵抗装置ストッパ８７に左ラッチが当接し点検パネル８１を閉じることができなくなるので、設計通りに組み立てられていないことがわかる。この場合には、安全スイッチがオンにならないので、駆動用モータ１３のスイッチを入れても起動させることはできない。
【符号の説明】
【００４１】
１    精米機本体
３    抵抗装置
５    精米機カバー
１１  精白室
１３  駆動用モータ
１９  抵抗装置調節部
２１  抵抗装置取り外し部
２３  固定金具
２５  摺動板
４７  抵抗装置取付突起部
４９  閂溝
５３  支持アーム
５７  貫通溝
５９  係止片
６７  抵抗円板
７１  ラッチ可動部
７３  ラッチ
８３  抵抗装置ストッパ
８５  安全装置押突起
８７  抵抗装置ストッパ
【図１】
2010274164.tif 000003
【図２】
2010274164.tif 000004
【図３】
2010274164.tif 000005
【図４】
2010274164.tif 000006
【図５】
2010274164.tif 000007
【図６】
2010274164.tif 000008
【図７】
2010274164.tif 000009
【図８】
2010274164.tif 000010
【図９】
2010274164.tif 000011
【図１０】
2010274164.tif 000012
【図１１】
2010274164.tif 000013